(57)【特許請求の範囲】
【請求項１】
カメラボディに装着する電子カメラバックにおいて、
被写体像を撮像する撮像素子と、
操作部と、
前記操作部が操作されると前記撮像素子が電荷蓄積を開始し、電荷蓄積の開始後に前記操作部が再度操作されると前記撮像素子が電荷蓄積を終了する第１モードと、前記操作部が操作されると前記撮像素子が電荷蓄積を開始し、前記操作部が操作されている間は前記撮像素子が電荷蓄積を継続し、前記操作部が操作されなくなると前記撮像素子が電荷蓄積を終了する第２モードと、の２つのモードうちのいずれか一方を行わせる切替部と、
を備える電子カメラバック。
【請求項２】
請求項１に記載の電子カメラバックにおいて、
前記電荷蓄積の開始後の経過時間を計時する計時部を備え、
前記第１モードで、前記計時部によって第１所定時間が計時されると前記撮像素子の電荷蓄積を終了させる電子カメラバック。
【請求項３】
請求項２に記載の電子カメラバックにおいて、
前記第１所定時間を変更する計時時間変更部を備える電子カメラバック。
【請求項４】
請求項２または３に記載の電子カメラバックにおいて、
表示部と、
前記撮像素子が電荷蓄積を行っているときを第１の表示態様とし、前記撮像素子が電荷蓄積を行っていないときを第２の表示態様とするように前記表示部を制御する表示制御部と、
を備える電子カメラバック。
【請求項５】
請求項４に記載の電子カメラバックにおいて、
前記表示制御部は、前記計時部によって前記第１所定時間より短い第２所定時間が計時されるまでを前記第１の表示態様とし、前記計時部によって前記第２所定時間が計時されてから前記第１所定時間が計時されるまでを第３の表示態様とするように前記表示部をさらに制御する電子カメラバック。
【請求項６】
請求項２〜５のいずれか一項に記載の電子カメラバックにおいて、
被写界からの入射光に基づいて露光の有無を判定する判定部と、
前記判定部で露光有りが判定されることなく前記計時部で第３所定時間が計時された場合に報知する報知部と、
を備える電子カメラバック。
【請求項７】
請求項１に記載の電子カメラバックにおいて、
前記電荷蓄積の開始後の経過時間を計時する計時部と、
前記第２モードで、前記撮像素子からの信号に基づいて露光の有無を判定する判定部と、
前記判定部で露光有りが判定されることなく前記計時部で所定時間が計時された場合に報知する報知部と、
を備える電子カメラバック。
【発明の詳細な説明】
【技術分野】
【０００１】
本発明は、電子カメラバックに関する。
【背景技術】
【０００２】
銀塩フィルムカメラのカメラボディに備えられた裏蓋に代えて、撮像素子を備えた蓋部材をカメラボディに装着することにより、カメラボディ側の撮影光学系によって得られる被写体像を撮像して電子画像データを得るスチルビデオバックが知られている（特許文献１参照）。スチルビデオバックは銀塩カメラ側の回路との間で所定の交信を行うため、銀塩フィルムカメラには、あらかじめスチルビデオバックと組合わせることを予定して通信機能が備えられる。
【先行技術文献】
【特許文献】
【０００３】
【特許文献１】特開平２−３０１３７８号公報
【発明の概要】
【発明が解決しようとする課題】
【０００４】
従来の技術では、あらかじめ電子カメラバックが装着されることを予定して通信機能を備えたカメラと組合わせなければ使用できないという問題があった。
【課題を解決するための手段】
【０００５】
請求項１に記載の発明による電子カメラバックは、カメラボディに装着する電子カメラバックにおいて、被写体像を撮像する撮像素子と、操作部と、操作部が操作されると撮像素子が電荷蓄積を開始し、電荷蓄積の開始後に操作部が再度操作されると撮像素子が電荷蓄積を終了する第１モードと、操作部が操作されると撮像素子が電荷蓄積を開始し、操作部が操作されている間は撮像素子が電荷蓄積を継続し、操作部が操作されなくなると撮像素子が電荷蓄積を終了する第２モードと、の２つのモードうちのいずれか一方を行わせる切替部と、を備える。
【発明の効果】
【０００６】
本発明による電子カメラバックでは、該電子カメラバックが装着されることを予定していないカメラと組合わせることができる。
【図面の簡単な説明】
【０００７】
【図１】本発明の一実施の形態による電子カメラバックと組合わせる銀塩フィルムカメラを例示する正面図である。
【図２】図１に例示した銀塩フィルムカメラの背面図である。
【図３】裏蓋を開放した銀塩フィルムカメラの背面図である。
【図４】本実施形態による電子カメラバックを例示する図である。
【図５】電子カメラバックを装着したカメラボディ２の背面図である。
【図６】電子カメラバックの回路ブロックを例示する図である。
【図７】ＣＰＵが実行する処理の流れを説明するフローチャートである。
【発明を実施するための形態】
【０００８】
以下、図面を参照して本発明を実施するための形態について説明する。図１は、本発明の一実施の形態による電子カメラバックと組合わせる銀塩フィルムカメラを例示する正面図である。図１において、銀塩フィルムカメラのカメラボディ２に撮影レンズ１が装着されている。撮影レンズ１は、被写体画像を感光部材（フィルム、電子カメラバック内の撮像素子）に結像させるためのレンズ、および絞りを有する。
【０００９】
カメラボディ２は、撮影レンズ１が装着された状態で光密性を保つように構成される。カメラボディ２の上面には、レリーズボタン３、巻き上げレバー４、および巻き戻しノブ５が備えられている。カメラボディ２は、感光部材を所定時間露光させるため、公知のシャッタ機構を有しており、撮影準備が整った状態でレリーズボタン３が押下操作されると、上記シャッタ機構がシャッタ幕を走行開始させ、感光部材を所定時間露光させる。
【００１０】
巻き上げレバー４は、フィルムを１齣分巻き上げる際に操作される。カメラボディ２は、フィルム巻き上げとともにシャッタ機構の駆動のための準備動作を行うように構成される。これにより、次にレリーズボタン３が押下操作された場合のシャッタレリーズ動作が可能になる。
【００１１】
巻き戻しノブ５は、カメラボディ２に装填されているフィルムパトローネ内に、撮影済みフィルムを全て巻き入れて該パトローネを取り出し可能にするために操作される。また、巻き戻しノブ５が上方に所定量引き出されると、後述する裏蓋７が開くように構成されている。
【００１２】
図２は、図１に例示した銀塩フィルムカメラの背面図である。図２において、カメラボディ２には、ファインダー接眼窓６、および裏蓋７が備えられている。撮影者は、接眼窓６からファインダーによる光学像を観察する。裏蓋７は、上述したように巻き戻しノブ５の引き上げ操作によって開放される。フィルムパトローネの装填および取り出しは、裏蓋７が開放された状態で行われる。
【００１３】
図３は、裏蓋７を開放した状態を例示する銀塩フィルムカメラの背面図である。図３において、裏蓋７は蝶番１７を軸に回動自在に構成される。裏蓋７の内側には、圧板８が設けられている。圧板８は、その表面が高い平面度と摺動性とを備えるように加工されている。裏蓋カギＢ１６は、カメラボディ２のパトローネ室１２側に設けられた裏蓋カギＡ１３と裏蓋７が閉じられた状態で係合する。
【００１４】
外レール９ａおよび９ｂは、それぞれ開口部１１の下側と上側に配設される。両レール９ａおよび９ｂは、撮影レンズ１の光軸方向に対して互いに等価な位置に設けられる。裏蓋７が閉じられると、外レール９ａおよび９ｂは上記圧板８と密着するように構成される。内レール１０ａおよび１０ｂは、それぞれの高さが外レール９ａおよび９ｂより僅かに低く、かつ撮影レンズ１の光軸寄りで、該光軸方向に対して互いに等価な位置に設けられる。内レール１０ａが開口部１１の下側に、内レール１０ｂが開口部１１の上側に位置する。内レール１０ａおよび１０ｂが外レール９ａおよび９ｂより僅かに低い（撮影レンズ１側に設けられる）ため、裏蓋７が閉じられた状態で内レール１０ａおよび１０ｂと圧板８との間に僅かな空間が得られる。この空間をフィルムが高い平面度を維持しながら給送される。
【００１５】
開口部１１は、撮影レンズ１による像をフィルム上に写す範囲を決定する。なお、図３においては、開口部１１を説明するためにシャッタ幕の図示を省略している。パトローネ室１２は、フィルムパトローネを装填するスペースである。裏蓋カギＡ１３は、巻き戻しノブ５の引き上げに連動して上方へ移動し、裏蓋カギＢ１６との係合を解除する。この係合解除によって裏蓋７が開かれる。
【００１６】
スプロケット１４およびスプール１５は、巻き上げレバー４の操作に連動して回転する。スプロケット１４は回転によってフィルム１齣分送り、スプール１５はスプロケット１４によって送られたフィルムを弛みなく巻き上げる。
【００１７】
図４は、本実施形態による電子カメラバック１０１を例示する図である。電子カメラバック１０１は、図２および図３に例示した裏蓋７に代えて装着される。図４において、蝶番１７および裏蓋カギＢ１６は、裏蓋７に設けられていた蝶番１７および裏蓋カギＢ１６と同様のものである。電子カメラバック１０１では、裏蓋７における圧板８と異なり、撮像素子１０３を保持する撮像素子保持板１０２が配設される。電子カメラバック１０１をカメラボディ２に装着して裏蓋カギＡ１３と裏蓋カギＢ１６とを係合させると、撮像素子１０３が開口部１１と対向する。
【００１８】
蝶番１７は、上部に可動ピン１７ａを有し、下部に固定ピン１７ｂを有する。ピン１７ａおよびピン１７ｂがカメラボディ２側の穴に嵌入された状態で、これらのピン１７ａおよび１７ｂを軸に電子カメラバック１０１が回動する。可動ピン１７ａは、通常、不図示のばねによって上方へ押し上げられている。長穴部１７ｄから出るピン１７ｃを上記ばねに抗して下方へ押し下げると、可動ピン１７ａが下方に退避するので、電子カメラバック１０１がカメラボディ２に対して着脱可能となる。
【００１９】
図５は、電子カメラバック１０１を装着したカメラボディ２の背面図である。電源スイッチ１１１は、電子カメラバック１０１用の電源スイッチである。本実施形態では、電子カメラバック１０１用の電源と、カメラボディ２側の電源とが独立して構成されている。モード切替スイッチ１１２は、電子カメラバック１０１の動作モードをＡモードおよびＢモード間で切替るための操作部材である。ＡモードおよびＢモードの詳細については後述する。液晶モニタ１１３は、画像データによる再生画像や、操作メニューなどを表示する。
【００２０】
マルチモードセレクタ１１４は、上下左右の操作方向に応じた操作信号を発生する。蓄積開始スイッチ１１５は、電子カメラバック１０１に対して撮像（撮像素子１０３における電荷蓄積）を指示するための操作部材である。ＬＥＤ１１６は、蓄積動作状態を知らせるための表示部材である。操作スイッチ群１１７は、液晶モニタ１１３に表示する再生画像の拡大や縮小指示、画像データの削除指示、および表示の変更指示をするための操作部材である。
【００２１】
図６は、電子カメラバック１０１の回路ブロックを例示する図である。ＣＰＵ２０１は、不揮発性メモリ２０６に記録されているプログラムを実行することにより、電子カメラバック１０１の全体の動作を制御する。ＣＰＵ２０１には、電源スイッチ１１１、タイマー設定回路２０５，液晶モニタ１１３、撮像回路２０３、メモリカード２０４、蓄積開始スイッチ１１５、ＬＥＤ１１６、モード切替スイッチ１１２、不揮発性メモリ２０６、およびメモリ２０７が接続されている。
【００２２】
タイマー設定回路２０５は、ＣＰＵ２０１に対するタイマー機能の設定を行う。ＣＰＵ２０１は、タイマー設定回路２０５からの設定情報に基づいて計時を行う機能を備える。タイマー設定回路２０５は、ＣＰＵ２０１に対する設定の他に、上記タイマー機能に関する設定情報の保持を行うように構成されている。電池２０２は、電源スイッチ１１１がオン操作されると電子カメラバック１０１内の各回路へ電力を供給する。
【００２３】
撮像回路２０３は撮像素子１０３（図４）を含み、被写体像を撮像して撮像信号を生成する。具体的には、画素ごとに構成された受光素子に流れる電流を蓄積し、該蓄積信号に基づいて画素単位で画像データを生成する。撮像回路２０３は、生成した画像データに所定の信号処理を施してＣＰＵ２０１へ送る。撮像回路２０３は、ＣＰＵ２０１からの信号に基づいて蓄積動作が可能な状態（スタンバイ状態と称する）にされ、ＣＰＵ２０１からの信号に基づいてスタンバイ状態が解除される。撮像素子１０３は、受光素子が撮像面に二次元配列されたＣＭＯＳイメージセンサなどによって構成される。
【００２４】
メモリカード２０４は、電子カメラバック１０１に対して着脱可能に構成される。ＣＰＵ２０１は、メモリカード２０４に対して画像データを記録したり、メモリカード２０４から画像データを読み出したりする。ＬＥＤ１１６は、ＣＰＵ２０１からの指示によって点灯、点滅、および消灯が切替え可能である。ＬＥＤ１１６はさらに、緑色、赤色、アンバーの発光色も切替えできる。メモリ２０７は、ＣＰＵ２０１のワークメモリとして使用される他、画像データの一時記憶用のメモリとして用いられる。
【００２５】
図７は、ＣＰＵ２０１が実行する処理の流れを説明するフローチャートである。ＣＰＵ２０１は、電池２０２から電源が供給されると図７の処理を行うプログラムを起動し、電源供給が終了されるまで繰り返し実行する。図７のステップＳ１において、ＣＰＵ２０１はＡモードか否かを判定する。ＣＰＵ２０１は、モード切替スイッチ１１２からＡモード側への操作信号が入力された場合にステップＳ１を肯定判定してステップＳ２へ進む。ＣＰＵ２０１は、モード切替スイッチ１１２からＢモード側への操作信号が入力された場合には、ステップＳ１を否定判定してステップＳ８へ進む。
【００２６】
Ａモードは、蓄積開始スイッチ１１５による押下操作中を上記スタンバイ状態とする動作モードである。Ｂモードは、蓄積開始スイッチ１１５が押下されてから、再度蓄積開始スイッチ１１５が押下されるまでの間を上記スタンバイ状態とする動作モードである。
【００２７】
ステップＳ２へ進む場合のＣＰＵ２０１はＡモードの動作を行う。Ａモードの場合の撮影者は、蓄積開始スイッチ１１５を押下しながらカメラボディ２のレリーズボタン３を押下操作する。ＣＰＵ２０１は、ステップＳ２において蓄積スイッチ（蓄積開始スイッチ１１５）がオン操作されたか否かを判定する。ＣＰＵ２０１は、蓄積開始スイッチ１１５から操作信号が入力された場合にステップＳ２を肯定判定してステップＳ３へ進む。ＣＰＵ２０１は、蓄積開始スイッチ１１５から操作信号が入力されない場合にはステップＳ２を否定判定し、当該判定処理を繰り返して蓄積開始スイッチ１１５の操作を待つ。
【００２８】
ステップＳ３において、ＣＰＵ２０１は撮像回路２０３へ指示を送ってスタンバイ状態とし、ステップＳ４へ進む。これにより、撮像素子１０３に被写体光が入射されれば、入射光の強さに応じて蓄積動作が行われる。ステップＳ４において、ＣＰＵ２０１は、ＬＥＤ１１６を点灯させてステップＳ５へ進む。ＬＥＤ１１６の点灯表示は、スタンバイ状態であることを示す。
【００２９】
ステップＳ５において、ＣＰＵ２０１は、蓄積スイッチのオン操作が継続されているか否かを判定する。ＣＰＵ２０１は、蓄積開始スイッチ１１５から操作信号が継続入力されている場合にステップＳ５を肯定判定し、当該判定処理を繰り返す。この場合はスタンバイ状態を継続する。一方、ＣＰＵ２０１は、蓄積開始スイッチ１１５から操作信号が入力されなくなった場合にはステップＳ５を否定判定し、ステップＳ６へ進む。
【００３０】
ステップＳ６において、ＣＰＵ２０１は撮像回路２０３へ指示を送ってスタンバイ状態を終了させ、ステップＳ７へ進む。ステップＳ７において、ＣＰＵ２０１は、ＬＥＤ１１６を消灯させてステップＳ１５へ進む。ステップＳ１５において、ＣＰＵ２０１は記録処理を行って図７による処理を終了する。記録処理では、撮像回路２０３で取得された蓄積信号に基づいて画像データを生成し、該画像データをメモリカード２０４へ記録する。
【００３１】
ステップＳ８へ進む場合のＣＰＵ２０１はＢモードの動作を行う。Ｂモードの場合の撮影者は、蓄積開始スイッチ１１５を押下してから、カメラボディ２のレリーズボタン３を押下操作する。ＣＰＵ２０１は、ステップＳ８において蓄積スイッチがオン操作されたか否かを判定する。ＣＰＵ２０１は、蓄積開始スイッチ１１５からの操作信号がオフからオンへ変化した場合にステップＳ８を肯定判定してステップＳ９へ進む。ＣＰＵ２０１は、蓄積開始スイッチ１１５からの操作信号がオフからオンへ変化しない場合にはステップＳ８を否定判定し、当該判定処理を繰り返して操作信号の変化を待つ。
【００３２】
ステップＳ９において、ＣＰＵ２０１は撮像回路２０３へ指示を送ってスタンバイ状態にするとともに、タイマー計時を開始させてステップＳ１０へ進む。これにより、撮像素子１０３に被写体光が入射されれば、入射光の強さに応じて蓄積動作が行われる。ステップＳ１０において、ＣＰＵ２０１は、ＬＥＤ１１６を点灯させてステップＳ１１へ進む。ＬＥＤ１１６の点灯表示は、スタンバイ状態であることを示す。
【００３３】
ステップＳ１１において、ＣＰＵ２０１は、蓄積スイッチが再びオン操作されたか否かを判定する。ＣＰＵ２０１は、蓄積開始スイッチ１１５からの操作信号がオフからオンへ変化した場合にステップＳ１１を肯定判定してステップＳ６へ進む。ＣＰＵ２０１は、蓄積開始スイッチ１１５からの操作信号がオフからオンへ変化しない場合にはステップＳ１１を否定判定してステップＳ１２へ進む。
【００３４】
ステップＳ１２において、ＣＰＵ２０１は、計時時間Ｔ１が経過したか否かを判定する。ＣＰＵ２０１は、タイマーによる計時時間がＴ１に達した場合にステップＳ１２を肯定判定してステップＳ１３へ進む。時間Ｔ１は、スタンバイ状態での経過時間に相当する。ＣＰＵ２０１は、計時時間がＴ１に満たない場合にはステップＳ１２を否定判定し、ステップＳ１１へ戻る。ステップＳ１２からステップＳ１１へ戻る場合は、スタンバイ状態を維持して（ＬＥＤ１１６点灯表示）待機する。
【００３５】
ステップＳ１３において、ＣＰＵ２０１は、ＬＥＤ１１６を点滅表示させてステップＳ１４へ進む。ステップＳ１４において、ＣＰＵ２０１は、計時時間Ｔ２（Ｔ２＞Ｔ１）が経過したか否かを判定する。ＣＰＵ２０１は、タイマーによる計時時間がＴ２に達した場合にステップＳ１４を肯定判定してステップＳ６へ進む。時間Ｔ２は、スタンバイ状態での経過時間に相当する。ＣＰＵ２０１は、計時時間がＴ２に満たない場合にはステップＳ１４を否定判定し、ステップＳ１１へ戻る。ステップＳ１４からステップＳ１１へ戻る場合は、スタンバイ状態を維持して（ＬＥＤ１１６点滅表示）待機する。
【００３６】
計時時間Ｔ１およびＴ２の値は、タイマー設定回路２０５が設定情報として記憶する。これらの設定情報は、操作スイッチ群１１７からの操作信号に応じて変更可能に構成される。
【００３７】
Ｂモードでは、スタンバイ状態にするために蓄積開始スイッチ１１５を押し続けなくても、あらかじめ設定されている所定時間（計時時間Ｔ２）の間、スタンバイ状態が維持される。そして、計時時間Ｔ１経過後はＬＥＤ１１６を点灯表示から点滅表示に切替えるので、スタンバイ状態の自動終了が間近である旨を撮影者に知らせることができる。
【００３８】
Ｂモードでは、所定時間（計時時間Ｔ２）に達する前でも、蓄積開始スイッチ１１５がオン操作されればスタンバイ状態を終了する。また、蓄積開始スイッチ１１５が再操作されなくても、所定時間（計時時間Ｔ２）に達すると自動的にスタンバイ状態を終了する。
【００３９】
以上説明した実施形態によれば、次の作用効果が得られる。
（１）電子カメラバック１０１は、カメラボディ２に着脱自在に装着するための蝶番１７，裏蓋カギＢ１６と、該蝶番１７，裏蓋カギＢ１６によってカメラボディ２に固定された状態で該カメラボディ２側の撮影レンズ１による被写体像を撮像して画像信号を出力する撮像素子１０３と、蓄積開始スイッチ１１５と、該蓄積開始スイッチ１１５からの操作信号に応じて撮像素子１０３に撮像動作を開始させるＣＰＵ２０１と、を備えるので、電子カメラバック１０１が装着されることを予定していないカメラ（ボディ）と組合わせて、適切に撮像させることができる。
【００４０】
（２）上記（１）の電子カメラバック１０１において、撮像動作を開始後の経過時間を計時するＣＰＵ２０１をさらに備え、ＣＰＵ２０１は、第１所定時間を計時すると撮像素子１０３の撮像動作を終了させるように構成したので、無駄な電力消費を防止できる。
【００４１】
（３）上記（２）の電子カメラバック１０１において、第１所定時間を変更するタイマー設定回路２０５をさらに備えるように構成したので、撮像動作を終了させる時間を変更できる。
【００４２】
（４）上記（２）または（３）の電子カメラバック１０１において、ＬＥＤ１１６と、撮像動作中を第１の表示態様とし、非撮像動作中を第２の表示態様とするようにＬＥＤ１１６を制御するＣＰＵ２０１と、をさらに備えるように構成したので、動作状態を視覚的に知らせることができる。
【００４３】
（５）上記（４）の電子カメラバック１０１において、ＣＰＵ２０１は、第１所定時間より短い第２所定時間を計時するまでを第１の表示態様とし、第２所定時間を計時してから第１所定時間を計時するまでを第３の表示態様とするようにＬＥＤ１１６をさらに制御するように構成したので、撮像動作中にもうすぐ終了であることを視覚的に知らせることができる。
【００４４】
（６）上記（２）〜（５）の電子カメラバック１０１において、ＣＰＵ２０１はさらに、撮像動作を開始後に蓄積開始スイッチ１１５から再度の操作信号を受けると撮像動作を終了させるように構成したので、撮像動作を終了させる時間が経過する前に撮像動作を終了させることもできる。
【００４５】
（７）電子カメラバック１０１は、カメラボディ２に着脱自在に装着するための蝶番１７，裏蓋カギＢ１６と、該蝶番１７，裏蓋カギＢ１６によってカメラボディ２に固定された状態で該カメラボディ２側の撮影レンズ１による被写体像を撮像して画像信号を出力する撮像素子１０３と、蓄積開始スイッチ１１５と、該蓄積開始スイッチ１１５からの操作信号に応じて撮像素子１０３に撮像動作の開始および終了をさせるＣＰＵ２０１と、を備えるので、電子カメラバック１０１が装着されることを予定していないカメラ（ボディ）と組合わせて、適切に撮像させることができる。
【００４６】
（８）上記（７）の電子カメラバック１０１において、ＣＰＵ２０１は、蓄積開始スイッチ１１５が操作されている間は撮像動作を継続し、蓄積開始スイッチ１１５が操作されなくなると当該撮像動作を終了させるように構成したので、撮影者は簡単に、撮像動作の開始操作および終了操作を行える。
【００４７】
（９）上記（７）の電子カメラバック１０１において、ＣＰＵ２０１は、撮像動作を開始後に蓄積開始スイッチ１１５から再度の操作信号を受けると撮像動作を終了させるように構成したので、長秒時露光を行う場合において蓄積開始スイッチ１１５を操作し続けなくてもよくなるので、撮影者による操作負担が軽減する。
【００４８】
（１０）上記（６）のＣＰＵ２０１と、上記（８）のＣＰＵ２０１と、これらのＣＰＵ２０１のうちいずれか一方に撮像制御をさせるＣＰＵ２０１と、を備えるように構成したので、たとえば、必要な露光時間に適した撮像制御を選ぶことが可能になる。
【００４９】
（変形例１）
電子カメラバック１０１をスタンバイ状態にしたにもかかわらず、撮像素子１０３が露光されない場合にはその旨を撮影者に知らせるようにしてもよい。ＣＰＵ２０１は、たとえば、タイマーによる計時時間が２秒に達した際に露光が行われていないことを判定した場合に、ＬＥＤ１１６の表示色を緑色から赤色に変更する。露光の有無は、撮像素子１０３から所定画素について信号を読み出し、該読み出し信号が所定の判定閾値を超えているか否かに基づいて判定する。露光されている場合は、信号値が判定閾値より高くなる。
【００５０】
変形例１によれば、撮影者に対してレリーズボタン３の押下操作を促すことで、スタンバイ状態が長くなることを防止できる。スタンバイ状態が長くなると、発熱等によりノイズ発生の要因になる上、消費電力も増えてしまうからである。なお、露光の有無を判定するために、撮像素子１０３とは別に輝度センサを設け、該輝度センサの出力に基づいて露光の有無を判定する構成にしても構わない。
【００５１】
（変形例２）
撮像素子１０３が露光されているにもかかわらず、電子カメラバック１０１のスタンバイ状態が解除されない場合にはその旨を撮影者に知らせるようにしてもよい。ＣＰＵ２０１は、たとえば、タイマーによる計時時間が２秒に達した時点で既に露光が行われていることを判定した場合に、ＬＥＤ１１６の表示色を緑色から赤色に変更する。露光の有無は、たとえば、撮像素子１０３から所定画素について信号を読み出し、該読み出し信号が所定の判定閾値を超えているか否かに基づいて判定する。露光されている場合は、信号値が判定閾値より高くなる。なお、露光の有無を判定するために、撮像素子１０３とは別に輝度センサを設け、該輝度センサの出力に基づいて露光の有無を判定する構成にしても構わない。
【００５２】
変形例２によれば、撮影者に対して蓄積開始スイッチ１１５の操作を促すことで、スタンバイ状態が長くなることを防止できる。スタンバイ状態が長くなると、ノイズ発生の要因になる上、消費電力も増えてしまう。
【００５３】
（変形例３）
上述したＬＥＤ１１６の表示色の変更によって撮影者に知らせる代わりに、あるいは表示色の変更とともに電子音などのアラーム音によって撮影者へ知らせるようにしてもよい。
【００５４】
以上の説明はあくまで一例であり、上記の実施形態の構成に何ら限定されるものではない。
【符号の説明】
【００５５】
１…撮影レンズ
２…カメラボディ
３…レリーズボタン
７…裏蓋
１６…裏蓋カギＢ
１７…蝶番  
１０１…電子カメラバック
１０３…撮像素子
１１２…モード切替スイッチ
１１３…液晶モニタ
１１５…蓄積開始スイッチ
１１６…ＬＥＤ
２０１…ＣＰＵ
２０３…撮像回路
２０４…メモリカード
２０５…タイマー設定回路
２０６…不揮発性メモリ
【図１】
0005790146.tif 000002
【図２】
0005790146.tif 000003
【図３】
0005790146.tif 000004
【図４】
0005790146.tif 000005
【図５】
0005790146.tif 000006
【図６】
0005790146.tif 000007
【図７】
0005790146.tif 000008